(57)【要約】【課題】  旗や幟などを用いた態様において、風などの影響を受け難く、しかも、昼夜を問わずに広告宣伝効果を確保する。【解決手段】  支持アーム２に形状が変化可能なシート状表示体１を支持する態様の表示器具において、支持アーム２に少なくとも一部が支持され且つシート状表示体１の形状を保持する形状保持体３と、この形状保持体３の少なくとも一部に設けられる光源４とを備える。形状保持体３としては、シート状表示体１の周囲の少なくとも一部を囲み且つシート状表示体１の周縁部を係止するサポートフレーム５、あるいは、シート状表示体１の全部若しくは一部の領域に対応して目視可能に重合配置され且つシート状表示体１が張られた状態で形状保持されるサポートカバー６がある。【選択図】  図１
2007057894.tif 000002
【特許請求の範囲】
【請求項１】
支持アームに形状が変化可能なシート状表示体を支持する態様の表示器具において、
支持アームに少なくとも一部が支持され且つシート状表示体の形状を保持する形状保持体と、
この形状保持体の少なくとも一部に設けられる光源とを備えたことを特徴とする表示器具。
【請求項２】
請求項１記載の表示器具において、
形状保持体は、シート状表示体の周囲の少なくとも一部を囲み且つシート状表示体の周縁部を係止するサポートフレームであることを特徴とする表示器具。
【請求項３】
請求項１記載の表示器具において、
形状保持体は、シート状表示体の全部若しくは一部の領域に対応して目視可能に重合配置され且つシート状表示体が張られた状態で形状保持されるサポートカバーであることを特徴とする表示器具。
【請求項４】
請求項２記載の表示器具において、
サポートフレームは、単独又は支持腕と共にシート状表示体の周囲全域を囲むものであることを特徴とする表示器具。
【請求項５】
請求項２記載の表示器具において、
サポートフレームは、透明若しくは半透明の中空状枠材を有し、この中空状枠材内に光源を配設したものであることを特徴とする表示器具。
【請求項６】
請求項２記載の表示器具において、
サポートフレームは、組立自在な複数の枠材にて構成されていることを特徴とする表示器具。
【請求項７】
請求項２記載の表示器具において、
サポートフレームは可撓性部材を屈曲配置したものであることを特徴とする表示器具。
【請求項８】
請求項２記載の表示器具において、
サポートフレームは係止部品を介してシート状表示体の周縁部を係止することを特徴とする表示器具。
【請求項９】
請求項３記載の表示器具において、
サポートカバーはシート状表示体の表面全域より大きい面積の被覆部を有し、この被覆部のシート状表示体の周囲に光源を配列したものであることを特徴とする表示器具。
【請求項１０】
請求項３記載の表示器具において、
サポートカバーはシート状表示体の表裏面が被覆可能な表裏被覆部を有することを特徴とする表示器具。
【請求項１１】
請求項１記載の表示器具において、
光源はシート状表示体の周囲に沿って所定間隔毎に配列されていることを特徴とする表示器具。
【請求項１２】
請求項１記載の表示器具において、
光源はＬＥＤにて構成されることを特徴とする表示器具。
【請求項１３】
請求項１記載の表示器具において、
光源は光照射方向が少なくともシート状表示体の表面側に向かう指向性を有するものであることを特徴とする表示器具。
【請求項１４】
請求項１記載の表示器具で用いられる形状保持体。
【発明の詳細な説明】
【技術分野】
【０００１】
本発明は、広告宣伝媒体として使用する表示器具に係り、特に、旗や幟等のシート状表示体を用いた表示器具及びこれに用いられる形状保持体に関する。
【背景技術】
【０００２】
従来から、屋外や屋内での広告宣伝媒体として旗や幟などの表示器具が広く用いられている。
そして、広告宣伝効果を上げるために、例えば幟の一部に風車のような飾りを設け、人目を引くようにした技術が既に提供されている（例えば特許文献１参照）。
また、幟の支持アームである縦竿、横竿に発光ランプを設けて点滅させ、幟を照射するようにしたり、あるいは、前記支持アームの横竿に蛍光ランプを設け、夜になるとこの幟を自動的に蛍光照射するようにした技術も既に提供されている（例えば特許文献２，３参照）。
更に、透明な袋状の幟材ケースに幟材を収容し、幟を簡単に構築する技術も既に提供されている（例えば特許文献４参照）。
【０００３】
【特許文献１】特開平１１−３４４９４５号公報（発明の実施の形態，図１）
【特許文献２】特開平８−２２１０１８号公報（第２の実施例，図２）
【特許文献３】特開２０００−１０５１５号公報（発明の実施の形態，図１）
【特許文献４】特開２００５−１４１０９７号公報（発明を実施するための最良の形態，図２）
【発明の開示】
【発明が解決しようとする課題】
【０００４】
しかしながら、この種の旗や幟を用いた表示器具（例えば特許文献１の態様）にあっては、特に屋外に設置した場合、旗や幟は風が強いとはためいてしまうため、その表示内容が見え難くなるという技術的課題がある。
また、夕方から夜間にかけては、旗や幟の存在自体が見え難くなるため、必然的に広告宣伝効果が低くなってしまうという技術的課題がある。
このような技術的課題に関し、例えば特許文献４記載の技術（例えば袋状の幟材ケースを硬質の素材で構成）を適用すれば、前者の技術的課題を解消することは可能かも知れないが、後者の技術的課題については何ら配慮されていない。
一方、例えば特許文献２，３記載の技術を適用すれば、後者の技術的課題を解消することは可能かも知れないが、前者の技術的課題については何ら配慮されていない。
ここで、特許文献２，３記載の技術と特許文献４記載の技術とを仮に組合せると、支持アームに発光ランプ等を設ける一方、幟材ケースに幟材を収容するという態様が想定されるが、幟材のうち支持アームに面した領域は発光ランプ等により充分に照明されるものの、幟材のうち支持アームから離れた部位については照明効果が不十分になり易いという技術的課題が残る。
【０００５】
本発明は、以上の技術的課題を解決するためになされたものであって、旗や幟などを用いた態様において、風などの影響を受け難く、しかも、昼夜を問わずに広告宣伝効果を確保することが可能な表示器具及びこれに用いられる形状保持体を提供するものである。
【課題を解決するための手段】
【０００６】
すなわち、本発明は、図１(ａ)(ｂ)に示すように、支持アーム２に形状が変化可能なシート状表示体１を支持する態様の表示器具において、支持アーム２に少なくとも一部が支持され且つシート状表示体１の形状を保持する形状保持体３と、この形状保持体３の少なくとも一部に設けられる光源４とを備えたことを特徴とするものである。
【０００７】
このような技術的手段において、シート状表示体１は旗、幟のほか、これらに類するものを広く含むものである。また、シート状表示体１の素材としては布、紙、樹脂等適宜選定することができ、シート状表示体１の形状については矩形状に限られず、多角形状、楕円形、円形など任意の形状を含み、その大きさについても、屋外、屋内などの設置箇所や用途に応じて適宜選定可能であることは勿論である。
また、支持アーム２はシート状表示体１を支持するものであれば、支柱（縦竿）及び横棒（横竿）を備えた態様は勿論、支柱だけの態様など適宜選定して差し支えない。
更に、形状保持体３は支持アーム２に少なくとも一部が支持されていればよく、支持アーム２と別体のものは勿論、支持アーム２と一体的に構成されるものも含む。尚、支持アーム２と別体の形状保持体３にあっては支持部品７を介して支持アーム２に係止するようにすればよい。
【０００８】
また、形状保持体３としては、シート状表示体１の形状を保持できるものであればよく、形状保持体３の代表的態様としては、図１(ａ)に示すように、シート状表示体１の周囲の少なくとも一部を囲み且つシート状表示体１の周縁部を係止するサポートフレーム５、あるいは、図１(ｂ)に示すように、シート状表示体１の全部若しくは一部の領域に対応して目視可能に重合配置され且つシート状表示体１が張られた状態で形状保持されるサポートカバー６が挙げられる。
前者の場合、サポートフレーム５は、シート状表示体１の形状を保持できるものであれば、シート状表示体１の周囲全域を囲まない態様も含む。また、後者の場合、サポートカバー６は一枚のシート状、袋状など適宜形状でよく、シート状表示体１の両面を挟持する態様に限らず、シート状表示体１の片面に重合される態様も含む。このサポートカバー６はシート状表示体１の面剛性を高め、シート状表示体１の形状変化を抑制する働きをするものであればよい。
【０００９】
更に、光源４については、形状保持体３の一部に設けられ且つシート状表示体１を直接若しくは間接的に照明効果にて目立つようにできるものであれば、豆電球（白熱球）を始め適宜選定して差し支えない。
この場合、光源４の配設箇所としては、シート状表示体１の周囲であってもよいし、一部若しくは全部がシート状表示体１に面した領域に配設されていてもよい。但し、シート状表示体１に面した領域に光源４を配設する場合には、シート状表示体１の表示内容が損なわれないように留意することが必要である。
そして、光源４への電力供給については適宜電源装置を接続すればよい。この電源装置としては商用電源からの電力を使用するものの他、太陽電池などを利用するものなど適宜選定して差し支えない。
【００１０】
また、サポートフレーム５の代表的態様としては、単独又は支持アーム２と共にシート状表示体１の周囲全域を囲むものが挙げられる。このように、シート状表示体１の周囲全域を囲む態様であれば、シート状表示体１の形状保持を確実に行うことが可能である点で好ましい。
また、サポートフレーム５の他の代表的態様としては、透明若しくは半透明の中空状枠材を有し、この中空状枠材内に光源４を配設したものが挙げられる。この中空状枠材としてはチューブ、パイプ等が含まれる。本態様によれば、中空状枠材を防水仕様にしておけば屋外でも安心して使うことができる点で好ましい。
【００１１】
更に、サポートフレーム５の別の代表的態様としては、組立自在な複数の枠材にて構成されているものが挙げられる。ここでいう枠材は必ずしも中空状枠材である必要はなく、中実枠材をも含む。本態様によれば、組立自在な複数の枠材を使用するので、販売性、搬送性を良好に保つことができる点で好ましい。
更にまた、サポートフレーム５としては、可撓性の有無は特に問わないが、販売性、組立性を考慮した場合、可撓性部材を屈曲配置したものが好ましい。但し、サポートフレーム５の形状を保持する上でコーナー部にＬ字金具を用いたり、支持アーム２で形状を保持することが必要である。
また、シート状表示体１のサポートフレーム５への取付構造としては適宜選定して差し支えないが、サポートフレーム５に係止部品８を介してシート状表示体１の周縁部を係止する構造が採られる。ここでいう係止部品８にはひも（結束バンド）、金具等を広く含む。
【００１２】
また、サポートカバー６の代表的態様としては、シート状表示体１の表面全域より大きい面積の被覆部を有し、この被覆部のシート状表示体１の周囲に光源４を配列したものが挙げられる。本態様の場合、シート状表示体１の形状保持と照明効果とを有効に両立することができる。特に、本態様では、光源４がシート状表示体１の表示内容を遮ることがない点で好ましい。
更に、サポートカバー６の他の代表的態様としては、シート状表示体１の表裏面が被覆可能な表裏被覆部を有するものが挙げられる。このように、シート状表示体１の表裏面を被覆することで、シート状表示体１を雨等の外的要因から保護することができる。
【００１３】
また、光源４の代表的なレイアウトとしては、シート状表示体１の周囲に沿って所定間隔毎に配列される態様が挙げられる。
更に、光源４として、寿命を延ばすという観点からすれば、ＬＥＤ、ＥＬを使用することが好ましい。
更にまた、光源４としては無指向性のもので差し支えないが、シート状表示体１の表示内容を照明するという観点からすれば、光照射方向が少なくともシート状表示体１の表面側に向かう指向性を有するものが好ましい。ここで、光源４に光指向性を与える手法としては、光源４そのものに光指向性を付与することは勿論、形状保持体３を工夫（例えばサポートフレーム５の内側面側に向けて光照射部を形成する等）することで、光指向性を与えるようにしてもよい。本態様によれば、シート状表示体１の表示内容を効果的に照射でき、夜間などの広告宣伝効果を確保することができる。
【００１４】
また、本件発明の表示器具は単独で用いるようにしてもよいし、複数併設しても差し支えない。ここで、複数併設する態様においては、例えば表示器具に付設する電源装置に夫々コンセントとプラグとを設けておけば、隣接する表示器具相互を連結設置することが可能になるため、表示器具の複数併設が容易に行われる点で好ましい。
更に、本発明は上述した表示器具に限られるものではなく、この表示器具に用いられる形状保持体３そのものをも対象とする。
この形状保持体３はシート状表示体１の形状を保持でき、しかも、光源４を具備可能なものであればよい。
【発明の効果】
【００１５】
本発明に係る表示器具によれば、形状保持体の存在により、シート状表示体の形状を保持することができるため、風などの影響でシート状表示体の形状が変形することを有効に抑えることが可能になり、これに伴って、シート状表示体による広告宣伝効果を確実にすることができる。
更に、形状保持体の少なくとも一部に光源が設けられるため、夕方や夜間などでもシート状表示体の存在を照明効果にて目立つようにすることが可能になり、これに伴って、昼夜を問わず、シート状表示体による広告宣伝効果を確実にすることができる。
このように、本発明に係る表示器具によれば、風などの影響を受け難く、しかも、昼夜を問わずに広告宣伝効果を確保することできる。
【００１６】
また、本発明に係る形状保持体によれば、既存のシート状表示体の形状保持を容易に実現でき、しかも、夕方から夜間にかけてのシート状表示体の存在を簡単に目立たせることができるため、風などの影響を受け難く、しかも、昼夜を問わずに広告宣伝効果を確保することが可能な表示器具を簡単に構築することができる。
【発明を実施するための最良の形態】
【００１７】
以下、添付図面に示す実施の形態に基づいてこの発明を詳細に説明する。
◎実施の形態１
図２は本発明が適用された表示器具の実施の形態１を示す説明図である。
同図において、本実施の形態に係る表示器具２０は幟に適用されたものであり、布などからなる矩形状の幟表示体（シート状表示体）２１と、この幟表示体２１を支持する支持アーム２２と、幟表示体２１の形状を保持するサポートフレーム３０とを備えている。
本実施の形態において、支持アーム２２は、縦方向に延びる支柱２２ａと、この支柱２２ａの上端部付近にて連結され且つ横方向に延びる横棒２２ｂとを備えたものであり、従前から多く用いられている。
【００１８】
本実施の形態において、サポートフレーム３０は、幟表示体２１の周囲全域を囲む矩形状の中空状枠材３１を有している。この中空状枠材３１は例えば透明若しくは半透明の樹脂材（例えばアクリル樹脂など）にて構成され、図３(ａ)に示すように、輸送時には、組立自在な複数の枠材パーツ３１ａ〜３１ｆに分かれており、使用時に、図３(ｂ)に示すように、枠材パーツ３１ａ〜３１ｆによる矩形状の枠体として組み立てられる。
ここで、枠材パーツ３１ａ，３１ｂは縦方向直線中空棒材の一端に嵌合連結用の直線連結材３２を有し、枠材パーツ３１ｃ，３１ｄは縦方向直線中空棒材の一端に嵌合連結用のＬ字連結材３３を有し、枠材パーツ３１ｅは横方向直線中空棒材の両端に嵌合連結用のＬ字連結材３３を有し、枠材パーツ３１ｆは横方向直線中空棒材のみからなるものである。尚、直線連結材３２，Ｌ字連結材３３は対象となる枠材パーツ３１ａ〜３１ｅに対して別部材であれば接着などにて固定すればよく、枠材パーツ３１ａ〜３１ｅと一体成形されるものであってもよい。
【００１９】
また、本実施の形態において、図２乃至図４に示すように、サポートフレーム３０の中空状枠材３１内には光源４０が所定間隔毎に配設されており、サポートフレーム３０の下部一端側には光源４０への電源装置５０が配設されている。
ここで、光源４０としては、豆電球（白熱球）を使用できることは勿論であるが、この豆電球は寿命が５０００時間から１万時間と短いので、ＬＥＤを使用することにより、寿命を延ばすことが可能である。
一方、電源装置５０は例えば商用電源を利用する態様のもので、光源４０への電源供給用ＡＣアダプタ（図示せず）も含む。そして、本例では、複数の表示器具２０の連結設置を可能とするために、防水仕様のコンセント５１及び防水仕様のプラグ５２を有している。
【００２０】
各光源４０は、図４(ａ)に示すように、電源装置５０に対して夫々並列接続されたもので、電源装置５０からの電源供給にて点灯するものである。
この場合、光源４０は全て単一色で差し支えないが、例えば図４(ｂ)に示すように、所定数毎に発光色の異なる光源４０ａ〜４０ｃを繰り返し配列し、発光色を変えるようにしてもよい。
更に、図４(ｃ)に示すように、電源装置５０に点灯制御用の制御装置５５を付設し、この制御装置５５の点滅プログラムに従って光源４０(４０ａ〜４０ｃ)を点滅制御するようにしてもよい。
更にまた、本実施の形態においては、電源装置５０としては商用電源を利用する態様に限られるものではなく、光源４０の発光のためのエネルギ源が蓄電池などの二次電池であってもよいし、また、この二次電池を太陽電池などで充電可能としてもよい。
【００２１】
また、本実施の形態では、各光源４０は例えば枠材パーツ３１ａ〜３１ｆ毎に分割配置されるようになっており、図２Ａ部、Ｂ部及び図５(ａ)(ｂ)に示すように、枠材パーツの直線連結材３２，Ｌ字連結材３３部分にて各枠材パーツ内の光源４０につながるハーネス３７をコネクタ３５，３６接合することで相互に配線可能になっている。
【００２２】
更に、サポートフレーム３０の支持アーム２２への取付構造については適宜選定して差し支えないが、例えば図２Ｃ部及び図６に示すように、支持アーム２２の支柱２２ａに対して複数箇所（例えば３箇所）、横棒２２ｂに対して複数箇所（例えば２箇所）、支持具例えばひもからなる結束バンド６０を用いてサポートフレーム３０をきつく縛りつける方式が採用されている。
尚、この結束バンド６０は再利用しても差し支えないが、使い捨て可能である。
【００２３】
また、幟表示体２１のサポートフレーム３０への取付構造についても適宜選定して差し支えないが、例えば図２Ｄ及び図７(ａ)〜(ｃ)に示すように、係止具（係止部品）７０として、折り返し変形可能な透明樹脂製の折り返しシート７１の両側にスナップボタン７２の各要素（ボタン凸部７２ａ，ボタン凹部７２ｂ）を設け、折り返しシート７１をサポートフレーム３０部位にて折り返し、幟表示体２１の周縁部をスナップボタン７２で挟み込むようにすればよい。
このような取付構造によれば、幟表示体２１に係止孔を開けなくても、サポートフレーム３０に幟表示体２１を係止することが可能である。尚、幟表示体２１に係止孔を設け、この係止孔を利用してスナップボタンを固定するようにしてもよい。
【００２４】
次に、本実施の形態に係る表示器具の作用について説明する。
本実施の形態において、表示器具２０を使用する場合には、図２に示すように、屋外（あるいは屋内）に表示器具２０を設置し、表示器具２０の電源装置５０からのプラグ５２を図示外の商用電源用のコンセント（例えば店のコンセント）に接続すればよい。
このとき、幟表示体２１はその周囲がサポートフレーム３０に係止されているため、仮に、風などが強く吹いたとしても、幟表示体２１が不必要にはためくことはなく、幟表示体２１の形状は保持される。このため、幟表示体２１の表示内容が風の影響で見え難くなるという懸念は有効に回避される。
また、夕方から夜間にかけては、サポートフレーム３０の中空状枠材３１内の光源４０を点灯させるようにすればよく、サポートフレーム３０の存在が光源４０の照射光により認知されることから、幟表示体２１の存在が目立つことになり、幟表示体２１の表示内容に注意が喚起される。
特に、本実施の形態にあっては、矩形状のサポートフレーム３０全域に光源４０が配列されていることから、幟表示体２１の周囲全域が矩形状に浮き上がり、幟表示体２１の周囲が照射されることから、幟表示体２１の存在がより顕著になる。
【００２５】
また、本実施の形態においては、複数の表示器具２０（例えば２０(1)〜２０(n)：ｎは整数）を設置する場合には、例えば図８(ａ)に示すように、１台目の表示器具２０(1)の電源装置５０のプラグ５２を商用電源用のコンセント（例えば店のコンセント）に接続し、この１台目の表示器具２０(1)の電源装置５０のコンセント５１に２台目の表示器具２０(2)の電源装置５０のプラグ５２を接続し、必要に応じて延長コード５３等を用いながら、以降の表示器具２０(n-1)，２０(n)も同様に接続するようにすればよい。
本態様によれば、複数の表示器具２０（２０(1)〜２０(n)）を簡単に連結設置することができる。この場合、各表示器具２０の電源装置５０のプラグ５２、コンセント５１はいずれも防水仕様であるから、屋外に表示器具２０を設置したとしても、雨などの天候による影響を最小限に抑えることができる。
更に、複数の表示器具２０における光源４０について点滅制御を行うような場合には、図８（ｂ）に示すように、例えば１台目の表示器具２０(1)の電源装置５０に制御装置５５を接続し、以下図８（ａ）と略同様に、各表示器具２０（２０(1)〜２０(n)）を配線するようにすればよい。
【００２６】
◎実施の形態２
図９は本発明に係る表示器具の実施の形態２を示す。
同図において、表示器具２０の基本的構成は実施の形態１と略同様であるが、サポートフレーム３０への幟表示体２１の取付構造が実施の形態１と異なる。尚、実施の形態１と同様な構成要素については実施の形態１と同様な符号を付してここではその詳細な説明を省略する。このことは以下の実施の形態においても同様である。
本実施の形態では、サポートフレーム３０への幟表示体２１の取付構造は、幟表示体２１の周縁部の適宜箇所にハトメからなる係止孔７６を設け、この係止孔７６に係止具（係止部品）７０として例えばひもからなる結束バンド７５を挿通させ、サポートフレーム３０に幟表示体２１を係止させるものである。
【００２７】
◎実施の形態３
図１０は本発明に係る表示器具の実施の形態３を示す。
同図において、表示器具２０の基本的構成は実施の形態１と略同様であるが、サポートフレーム３０の構成が実施の形態１と異なる。尚、実施の形態１と同様な構成要素については実施の形態１と同様な符号を付してここではその詳細な説明を省略する。
本実施の形態において、サポートフレーム３０は幟表示体２１の周囲全域を囲む矩形状の中空状枠材３８を有している。この中空状枠材３８は例えば可撓性の透明若しくは半透明の可撓性チューブからなり、各コーナー部にはＬ字金具３９を介して屈曲形状に保持したものになっている。尚、この中空状枠材３８は単一構成でもよいし、必要に応じて接続可能な分割構成でも差し支えない。
また、本実施の形態にあっては、中空状枠材３８としての可撓性チューブ内に光源４０が組み込まれている。尚、光源４０の組み込みについては、可撓性チューブに後から組み込むようにしてもよいし、あるいは、予め組み込むようにしてもよい。
本態様によれば、実施の形態１と略同様な作用を奏するほか、例えば輸送時にはサポートフレーム３０である中空状枠材３８を例えば渦巻き状にまとめることが可能になり、輸送作業を簡略することができる。
【００２８】
◎実施の形態４
図１１は本発明に係る表示器具の実施の形態４を示す。
同図において、表示器具２０の基本的構成は実施の形態２と略同様であるが、実施の形態２と異なり、光源４０の照射方向に指向性を持たせるようにしたものである。
すなわち、一般的に、光源４０の光照射方向は無指向性で差し支えないが、本実施の形態では、例えば図１１に示すように、光源４０自体からの照射方向を所定方向に調整したり、あるいは、サポートフレーム３０の内周側面に局部に照射可能な部分照射面を形成することにより、幟表示体２１の表示面に向けて光指向性ｍを付与するようにしたものである。本態様によれば、夕方から夜間であっても、幟表示体２１の表示内容をより正確に認識することができる点で好ましい。
【００２９】
◎実施の形態５
図１２は本発明に係る表示器具の実施の形態５を示す。
同図において、表示器具２０の基本的構成は実施の形態１と略同様であるが、サポートフレーム３０の構成及び光源４０のレイアウトが実施の形態１と異なる。
本実施の形態において、サポートフレーム３０は、略コ字状の透明若しくは半透明な中空状枠材３１を有し、この中空状枠材３１に加えて支持アーム２２の支柱２２ａの一部（ｚ）を利用し、幟表示体２１の周囲を取り囲む矩形状枠を構成するものである。
本実施の形態において、支持アーム２２の支柱２２ａの一部（ｚ）は透明若しくは半透明な中空部２５として構成され、この支持アーム２２の支柱２２ａの中空部２５及びサポートフレーム３０の中空状枠材３１内には光源４０が所定間隔毎に配列されている。尚、サポートフレーム３０の中空状枠材３１内の光源４０と支持アーム２２の支柱２２ａの中空部２５内の光源４０とは図示外のコルクタにて適宜接続されている。
そして、サポートフレーム３０の中空状枠材３１のうち上部横枠材部分は複数箇所（例えば二箇所）で支持具としての結束バンド６０により支持アーム２２の横棒２２ｂにきつく縛られ、また、サポートフレーム３０の上下端部は夫々結束バンド６０により支持アーム２２の支柱２２ａにきつく縛られている。
更に、幟表示体２１は、サポートフレーム３０を構成する中空状枠材３１及び支持アーム２２の支柱２２ａに対して適宜数の係止具７０を介して係止されている。
【００３０】
従って、本実施の形態によれば、サポートフレーム３０は支持アーム２２の支柱２２ａの一部を利用した態様であるが、幟表示体２１の周囲を係止することで幟表示体２１の形状を保持することが可能である。
また、サポートフレーム３０内の光源４０が点灯することにより、幟表示体２１の周囲全域が照明されることから、光源４０の照明効果により幟表示体２１の存在を目立たせることが可能である。
【００３１】
◎実施の形態６
図１３は本発明に係る表示器具の実施の形態６を示す。
同図において、表示器具２０は、実施の形態１〜５と異なり、幟表示体２１、支持アーム２２のほかに、サポートフレーム３０に代えて幟表示体２１の形状が保持可能なサポートカバー８０を備えたものである。
本実施の形態において、サポートカバー８０は、例えば図１４に示すように、幟表示体２１の表面全域より大きい表面積の２枚の透明シート８１，８２を有し、両シート間に幟表示体２１を挟み込んで固着するようにしたものである。
この透明シート８１，８２は、幟表示体２１を挟み込んだ状態で幟表示体２１の形状が保持される程度に幟表示体２１の面剛性を高めるものであれば適宜選定して差し支えなく、例えば熱溶着可能なラミネートフィルムを用い、これを熱溶着させるようにしたものであってもよいし、あるいは、ガラス板材を用い、これを接着固定するようにしてもよい。
尚、本例では、２枚の透明シート８１，８２を用いるようにしたが、１枚の透明シートで幟表示体２１を挟み込むようにしてもよいし、あるいは、１枚の透明シートで幟表示体２１の表面若しくは裏面に重合配置するようにしてもよいし、あるいは、透明シートを袋状に形成し、この袋状部分に幟表示体２１を収容するようにする等適宜選定して差し支えない。
【００３２】
また、本実施の形態では、透明シート８２の周囲には幟表示体２１を取り囲むように光源４０が所定間隔毎に配列されている。この光源４０は面状発光素子からなり、透明シート８１，８２間に挟持されたとしても、光源４０に対応する部分が不必要に外部突起にならないようになっている。
更に、サポートカバー８０の支持アーム２２への取付構造は、図１３に示すように、支持アーム２２の所定箇所に例えば実施の形態１と同様な係止具７０を用いてサポートカバー８０を係止するようになっている。
【００３３】
本実施の形態によれば、幟表示体２１はサポートカバー８０により面剛性が高くなり、その分、仮に、風などが強く吹いたとしても、幟表示体２１が不必要にはためくことはなく、幟表示体２１の形状は保持される。このため、幟表示体２１の表示内容が風の影響で見え難くなるという懸念は有効に回避される。
特に、本実施の形態では、幟表示体２１の表裏面はサポートカバー８０にて被覆されるため、防水仕様のサポートカバー８０を用いるようにすれば、幟表示体２１を外部環境から有効に保護することもできる。
また、夕方から夜間にかけては、サポートカバー８０周囲の光源４０を点灯させるようにすればよく、サポートカバー８０の周囲の存在が光源４０の照射光により認知されることから、幟表示体２１の存在が目立つことになり、幟表示体２１の表示内容に注意が喚起される。
【図面の簡単な説明】
【００３４】
【図１】(ａ)(ｂ)は本発明に係る表示器具の概要を示す説明図である。
【図２】本発明が適用された表示器具の実施の形態１を示す説明図である。
【図３】(ａ)はサポートフレーム及び電源装置の輸送時の状態を示す説明図、(ｂ)はサポートフレーム及び電源装置の使用時の状態を示す説明図である。
【図４】(ａ)〜(ｃ)は光源の配列例を示す説明図である。
【図５】(ａ)は図２中Ａ部の詳細を示す説明図、(ｂ)は図２中Ｂ部の詳細を示す説明図である。
【図６】図２中Ｃ部の詳細を示す説明図である。
【図７】(ａ)は図２中Ｄ部の詳細を示す説明図、(ｂ)は展開した状態の係止部品を示す説明図、(ｃ)は(ｂ)中Ｃ−Ｃ線断面説明図である。
【図８】(ａ)は表示器具を連結設置する接続例を示す説明図、(ｂ)は他の例を示す説明図である。
【図９】本発明が適用された表示器具の実施の形態２の要部を示す説明図である。
【図１０】本発明が適用された表示器具の実施の形態３の要部を示す説明図である。
【図１１】本発明が適用された表示器具の実施の形態４の要部を示す説明図である。
【図１２】本発明が適用された表示器具の実施の形態５を示す説明図である。
【図１３】本発明が適用された表示器具の実施の形態６を示す説明図である。
【図１４】実施の形態６で用いられるサポートカバーの製造例を示す説明図である。
【符号の説明】
【００３５】
１…シート状表示体，２…支持アーム，３…形状保持体，４…光源，５…サポートフレーム，６…サポートカバー，７…支持部品、８…係止部品
【図１】
2007057894.tif 000003
【図２】
2007057894.tif 000004
【図３】
2007057894.tif 000005
【図４】
2007057894.tif 000006
【図５】
2007057894.tif 000007
【図６】
2007057894.tif 000008
【図７】
2007057894.tif 000009
【図８】
2007057894.tif 000010
【図９】
2007057894.tif 000011
【図１０】
2007057894.tif 000012
【図１１】
2007057894.tif 000013
【図１２】
2007057894.tif 000014
【図１３】
2007057894.tif 000015
【図１４】
2007057894.tif 000016